(57)【要約】【課題】乾燥食品の保存期限を延長させることができるセルフ式乾燥食品鮮度保持排気袋構造を提供する。【解決手段】  セルフ式乾燥食品鮮度保持排気袋構造は、包装袋内に弁本体と、弁片と、鮮度保持剤とを含む鮮度保持排気弁を設ける。弁本体は、仕切り板で内部空間を仕切って弁室と充填室を形成し、仕切り板上に1つ以上の通孔を設け、弁室及び充填室の間に通孔を介して連通させ、弁片は、弁室に組み付けられ、弁室の開口端の外周は、径方向に貼合フレームを外凸し、貼合フレームの表面は、包装袋の内部にあり、排気孔に対して袋体一側内面に貼合され、弁室を排気孔にとって外部と連通させ、鮮度保持剤は、充填室内に充填され、充填室の入口端は、通気フィルムを設け、鮮度保持剤を充填室内に制限し、且つ通気フィルムの外表面端は、密封フィルムを設け、密封フィルムの一端は、包装袋の袋口外部に延伸し、引っ張り部を形成する。【選択図】図２
2020050445.tif 000002
【特許請求の範囲】
【請求項１】
包装袋内に鮮度保持排気弁を設け、前記包装袋の袋体上に前記袋体内部と外部を連通する1つ以上の排気孔を設け、前記鮮度保持排気弁は、弁本体と、弁片と、鮮度保持剤と、を含み、
前記弁本体は、仕切り板で内部空間を仕切って弁室と充填室を形成し、
前記仕切り板上に1つ以上の通孔を設け、前記弁室及び前記充填室の間に前記通孔を介して連通させ、
前記弁片は、前記弁室に組み付けられ、前記弁室の開口端の外周は、径方向に貼合フレームを外凸し、前記貼合フレームの表面は、前記包装袋の内部にあり、前記排気孔に対して前記袋体一側内面に貼合され、前記弁室を前記排気孔にとって外部と連通させ、
前記鮮度保持剤は、前記充填室内に充填され、前記充填室の入口端は、通気フィルムを設け、前記鮮度保持剤を前記充填室内に制限し、且つ前記通気フィルムの外表面端は、密封フィルムを設け、前記密封フィルムの一端は、前記包装袋の袋口外部に延伸し、引っ張り部を形成する、セルフ式乾燥食品鮮度保持排気袋構造。
【請求項２】
前記引っ張り部は、クリップ欠き口を設け、前記クリップ欠き口に挟持片を形成する請求項１に記載のセルフ式乾燥食品鮮度保持排気袋構造。
【請求項３】
前記弁本体の前記仕切り板上に、前記通孔の一端に対して第２通気フィルムを設ける請求項１に記載のセルフ式乾燥食品鮮度保持排気袋構造。
【請求項４】
前記弁本体の前記弁室の開口端、並びに前記貼合フレーム上に封止フィルムを設け、且つ前記封止フィルムの表面は、前記包装袋の袋体一側内面に貼合され、前記封止フィルム上に前記包装袋の前記排気孔に対して前記弁室及び前記排気孔を連通させる1つ以上の貫通孔を設ける請求項１に記載のセルフ式乾燥食品鮮度保持排気袋構造。
【請求項５】
前記密封フィルムの一端は、１８０度屈曲した屈曲部から前記包装袋の前記袋口外に前記引っ張り部を形成し、且つ前記屈曲部の屈曲方向は、前記密封フィルムの内辺縁から前記包装袋の袋口方向へ反って折られる請求項１に記載のセルフ式乾燥食品鮮度保持排気袋構造。
【請求項６】
前記包装袋は、ジッパー袋である請求項１に記載のセルフ式乾燥食品鮮度保持排気袋構造。
【請求項７】
前記包装袋は、ヒートシール機によりシールされたヒートシール袋である請求項１に記載のセルフ式乾燥食品鮮度保持排気袋構造。
【発明の詳細な説明】
【技術分野】
【０００１】
本発明は、乾燥食品の保存期限を延長させるセルフ式乾燥食品鮮度保持排気袋構造に関する。
【背景技術】
【０００２】
人々の物品の鮮度保持に対する要求は、益々高くなり、一般に冷凍、冷蔵方式で細菌の増殖を抑制する以外に、空気、湿気を隔離することが、食品の変質を回避する方法の１つである。しかし、従来の包装は、乾燥食品の包装に使用され、包装袋は、開封したら再密封可能な構造を持たず、袋口にジッパーが設けられる程度である。一時的に袋の口を閉じて食品の脱落やゴキブリ又はその他の虫類が袋内に進入して食品を汚染することを防止するが、袋中に依然として多くの空気があるので袋中の乾燥食品（コーヒーやお茶など）は湿気を受けて変質し易い。
【０００３】
従来の、中華民国の公告第Ｍ５６４８７５号「包装袋用のガスバリア弁」の実用新案は、包装袋上に幾つかの排気孔を設け、ガスバリア弁を包装袋内側の排気孔の対応箇所に固定設置している。ガスバリア弁の収容室内に幾つかのストッパで限位された膜片によって収容室底面の幾つかの気孔に貼付（ガスバリア）し、包装袋は、押圧を受け、空気が気孔から膜片を押し、気孔の排気によって袋内外に圧力差を形成し、膜片を気孔に吸着して蓋をさせ外部の空気及び湿気が包装袋に進入することを防止する。上記従来のガスバリア弁は、包装袋の押圧方式で袋内の空気を外部に排出することができると同時に外部の空気が袋内に進入することを阻止でき、空気又は湿気が食品に酸化変質の影響を及ぼすことを軽減できる。
【０００４】
しかし、単に包装袋の袋体押圧方式によるものは、袋体内の包装ギャップ箇所の大部分の空気を外部に排出できるというのみであり、袋内に多少の空気が残留する。これらの少ない空気は、依然として食品に対する変質を起こすか、又は新鮮度に影響を及ぼし、更には、食品の安全保存期限を掌握又は予期することが困難になる。
【０００５】
これに鑑み、乾燥食品の包装袋にはまだ改善の余地があり、その安全性と利便性を改善する必要がある。そのため、本発明者は、直面する問題を深く検討し、関連産業に長年従事した経験を通じて、積極的に解決策を探求し、継続的な研究と長期のテストを通じてようやくセルフ式乾燥食品鮮度保持排気袋構造の発明に成功し、従来の乾燥食品包装袋では解決できない問題を克服している。
【発明の概要】
【発明が解決しようとする課題】
【０００６】
本発明は、前述した事情に鑑みてなされたものであり、乾燥食品の保存期限を延長させることができるセルフ式乾燥食品鮮度保持排気袋構造を提供することを目的とする。
【課題を解決するための手段】
【０００７】
本発明のセルフ式乾燥食品鮮度保持排気袋構造は、包装袋内に鮮度保持排気弁を設け、前記包装袋の袋体上に前記袋体内部と外部を連通する1つ以上の排気孔を設け、前記鮮度保持排気弁は、弁本体と、弁片と、鮮度保持剤と、を含み、前記弁本体は、仕切り板で内部空間を仕切って弁室と充填室を形成し、前記仕切り板上に1つ以上の通孔を設け、前記弁室及び前記充填室の間に前記通孔を介して連通させ、前記弁片は、前記弁室に組み付けられ、前記弁室の開口端の外周は、径方向に貼合フレームを外凸し、前記貼合フレームの表面は、前記包装袋の内部にあり、前記排気孔に対して前記袋体一側内面に貼合され、前記弁室を前記排気孔にとって外部と連通させ、前記鮮度保持剤は、前記充填室内に充填され、前記充填室の入口端は、通気フィルムを設け、前記鮮度保持剤を前記充填室内に制限し、且つ前記通気フィルムの外表面端は、密封フィルムを設け、前記密封フィルムの一端は、前記包装袋の袋口外部に延伸し、引っ張り部を形成する。
【発明の効果】
【０００８】
本発明のセルフ式乾燥食品鮮度保持排気袋構造によれば、乾燥食品の保存期限を延長させることができる。
【図面の簡単な説明】
【０００９】
【図１】本発明の第１立体外観図である。
【図２】本発明の第２立体外観図である。
【図３】本発明の立体分解図である。
【図４】本発明の立体組み合わせ図である。
【図５】本発明の組み合わせ断面図である。
【図６】本発明の包装袋に実施した断面説明図である。
【図７】図６のＡ部分の局部拡大図である。
【図８】図６のＢ部分の局部拡大図である。
【図９】引っ張り部が引き剥がされた弁本体の断面図である。
【図１０】図９のＡ部分の局部拡大図である。
【図１１】乾燥食品が包装袋内部に詰められた断面図である。
【発明を実施するための形態】
【００１０】
図１〜図３を参照し、本発明のセルフ式乾燥食品鮮度保持排気袋構造の好適な実施例を説明する。但し、本実施例は、説明用とするのみであり、保護請求において実施例の構造に制限するものではない。セルフ式乾燥食品鮮度保持排気袋構造は、包装袋１０内に鮮度保持排気弁２０を設け、前記包装袋１０の袋体上に前記袋体内部と外部を連通する1つ以上の排気孔１１を設け、前記鮮度保持排気弁２０は、弁本体３０と、弁片５０と、鮮度保持剤６０と、を含む。前記弁本体３０は、仕切り板３１で内部空間を仕切って弁室３３と充填室３５を形成する。前記仕切り板３１上に1つ以上の通孔３１１を設け、前記弁室３３及び前記充填室３５の間に前記通孔３１１を介して連通させる。前記弁片５０は、前記弁室３３に組み付けられ、前記弁室３３の開口端の外周は、径方向に貼合フレーム３０１を外凸し、前記貼合フレーム３０１の表面は、前記包装袋１０の内部にあり、前記排気孔１１に対して前記袋体一側内面に貼合され、前記弁室３３を前記排気孔１１にとって外部と連通させる。前記鮮度保持剤６０は、前記充填室３５内に充填され、前記充填室３５の入口端は、第１通気フィルム４１を設け、前記鮮度保持剤６０を前記充填室３５内に制限し、且つ前記第１通気フィルム４１の外表面端は、密封フィルム４３を設け、前記密封フィルム４３の一端は、前記包装袋１０の袋口外部に延伸し、引っ張り部４３１を形成する。
【００１１】
次に、図３および図４に示すように、前記引っ張り部分４３１は、Ｕ字形またはＶ字形のクリップ欠き口４５を開設する。クリップ欠き口４５は、挟持片４５１を形成し、前記引っ張り部４３１は、前記挟持片４５１により前記包装袋１０の袋口端に挟持され、前記引っ張り部４３１は、前記包装袋１０の前記袋口の外部に保持される。
【００１２】
さらに、図５および図３を参照すると、前記弁本体３０の前記仕切り板３１には、前記通孔３１１の一端に第２通気フィルム４２が設けられる。前記第２通気フィルム４２は、前記充填室３５内の前記鮮度保持剤６０が前記弁室３３に進入することを阻止でき、前記弁片５０を正常に開閉動作させる。なぜならば、前記鮮度保持剤６０が前記弁室３３に入る時、前記弁片５０が前記通孔３１１の一端において空気の逆流を阻止する気密効果を形成できなくなる可能性があるからである。
【００１３】
また、前記弁本体３０の前記弁室３３の開口端、並びに前記貼合フレーム３０１上には、封止フィルム４６が設けられる。前記封止フィルム４６の一表面が前記包装袋１０の袋体の一側の内面に貼合され、前記封止フィルム４６には、前記包装袋１０の前記排気孔１１に対して、前記弁室３３を前記排気孔１１と連通させる１つ以上の貫通孔４６１が設けられる。前記貫通孔４６１の設計は、前記鮮度保持排気弁２０を前記包装袋１０の内部に設置する前に、前記封止フィルム４６により前記弁本体３０内部を完全に密封でき、取り付け時、孔を開けて、該貫通孔４６１を開設し、前記鮮度保持排気弁２０の量産時の保存に用いることができる。
【００１４】
上記を受けて、図６〜図８および図５に示すように、前記密封フィルム４３の一端は、１８０度屈曲する屈曲部４３２から前記包装袋１０の前記袋口外に延びて前記引っ張り部４３１を形成し、且つ前記屈曲部４３２の屈曲方向は、前記密封フィルム４３の内辺縁から前記包装袋１０の袋口方向に反って折られる。
【００１５】
詳しくは、図９および図１１および図５を参照すると、使用者が前記包装袋１０を使用して乾燥食品の鮮度保持包装を行いたい場合、前記引っ張り部分４３１をつかみ、前記包装袋１０の袋口外部方向に前記密封フィルム４３を剥がし、前記充填室３５の外表面から離脱させ、前記充填室３５を開く。次に、乾燥食品を前記包装袋１０内に入れ、袋口を閉じた後、前記包装袋１０外部が押圧を受けた時に、前記包装袋１０内部の空気が該充填室３５を介して、前記鮮度保持剤６０及び前記通孔３１１を通過し、前記弁片５０を押し開け、前記包装袋１０の前記排気孔１１から外部に排出されることができる。前記排気孔１１が排気を停止する時、前記弁片５０が復位して前記通孔３１１を閉鎖し、外部の空気が前記包装袋１０内部に戻ることを阻止して排気不可逆作用を形成する。該包装袋１０外部の押圧後、内部の押圧によって外部に完全に排出されずに残留する少量の空気は、前記充填室３５内の前記鮮度保持剤６０が前記包装袋１０内部と連通状態にあることによって、前記鮮度保持剤６０の前記包装袋１０中に残留する少量の空気に除湿又は脱酸作用を発生し、残留空気が乾燥食品に対して変質の影響を及ぼすことを軽減し、乾燥食品の前記包装袋１０内の保存期限を有効に延ばすことができる。
【００１６】
当然、本発明は実際の必要に応じて包装袋１０を調整することもでき、前記包装袋１０は、ジッパー袋であるか、前記包装袋１０はヒートシール機でシールされたヒートシール袋である。
【００１７】
上記の実施例は、本発明の技術とその有効性の単なる例示であり、本発明を制限することを意図したものではない。当業者は、本発明の技術原理と精神に反することなく、上記の実施例を変更することができる。
【符号の説明】
【００１８】
１０  包装袋
１１  排気孔
２０  鮮度保持排気弁
３０  弁本体
３０１  貼合フレーム
３１  仕切り板
３１１  通孔
３３  弁室
３５  充填室
４１  第１通気フィルム
４２  第２通気フィルム
４３  密封フィルム
４３１  引っ張り部
４３２  屈曲部
４５  クリップ欠き口
４５１  挟持片
４６  封止フィルム
４６１  貫通孔
５０  弁片
６０  鮮度保持剤
【図１】
2020050445.tif 000003
【図２】
2020050445.tif 000004
【図３】
2020050445.tif 000005
【図４】
2020050445.tif 000006
【図５】
2020050445.tif 000007
【図６】
2020050445.tif 000008
【図７】
2020050445.tif 000009
【図８】
2020050445.tif 000010
【図９】
2020050445.tif 000011
【図１０】
2020050445.tif 000012
【図１１】
2020050445.tif 000013